(57)【要約】【課題】携帯型放送受信装置が、前もって録画再生装置に所望の番組に関する通知を行うことなく、録画再生装置が、携帯型受信装置で視聴していた番組の続きを再生し、視聴することができる番組視聴システムを提供すること。【解決手段】外出時に携帯型放送受信装置１０１で番組の視聴を終了したり、視聴者が再度同じ番組を視聴したい場合に視聴情報を記録する。帰宅後に携帯型放送受信装置１０１を操作し、録画再生装置１０４から録画番組情報を受信し、受け取った録画番組情報と視聴情報を比較して、録画番組情報が存在する視聴情報のみを表示して、視聴者に再生したい視聴情報を選択する。選択された視聴情報の録画番組情報と再生位置を録画再生装置１０４に送信して、視聴できなかった番組の部分を録画再生装置１０４で表示再生する。【選択図】図４
2010004200.tif 000002
【特許請求の範囲】
【請求項１】
屋外でＴＶ放送を視聴できる携帯型放送受信装置と、前記携帯型放送受信装置で視聴するＴＶ放送と同じ番組を録画できて、録画情報を携帯型放送受信装置に送る録画再生装置で構成される番組視聴システムであって、
前記携帯型放送受信装置は、
視聴情報を保存するタイミングを検出する視聴情報保存トリガ検出部と、
前記視聴情報保存トリガ検出部で視聴情報保存のタイミングが検出された時に、視聴中の番組情報と現在時刻に基づいて視聴情報を作成する視聴情報生成部と、
前記視聴情報生成部で生成された視聴情報を記録する視聴情報保存部と、
前記視聴情報生成部で生成した視聴情報の番組が前記録画再生装置で録画済みの番組と一致する視聴番組を検索する視聴番組検索部と、
前記視聴番組検索部で一致した番組の中から、視聴したい番組を選択する視聴情報選択部と、
前記視聴情報選択部で選択した視聴情報を前記録画再生装置に送信する視聴情報通信部を備え、
前記録画再生装置は、
前記携帯型放送受信装置から視聴情報を受信する録画情報通信部と、
録画した番組の番組情報を管理し、前記視聴情報で特定した番組を再生する番組管理部を備え、
前記携帯型放送受信装置で視聴した番組を、前記録画再生装置で録画した番組の中から検索する前記視聴番組検索部で、特定された番組情報を前記録画再生装置に送信し、前記録画再生装置の前記録画情報管理部によって、当該番組の再生を行うことを特徴とする番組視聴システム。
【請求項２】
録画再生装置から録画した番組の録画情報を受信し、屋外でＴＶ放送を視聴できる携帯型放送受信装置であって、
視聴情報を保存するタイミングを検出する視聴情報保存トリガ検出部と、
前記視聴情報保存トリガ検出部で視聴情報保存のタイミングが検出された時に、視聴中の番組情報と現在時刻に基いて視聴情報を作成する視聴情報生成部と、
前記視聴情報生成部で生成された視聴情報を記録する視聴情報保存部と、
前記視聴情報生成部で生成した視聴情報の番組が前記録画再生装置で録画済みの番組と一致する視聴番組を検索する視聴番組検索部と、
前記視聴番組検索部で一致した番組の中から、視聴したい番組を選択する視聴情報選択部と、
前記視聴情報選択部で選択した視聴情報を前記録画再生装置に送信する視聴情報通信部を備え、
前記携帯型放送受信装置で視聴した番組を、前記録画再生装置で録画した番組の中から特定し、特定された番組情報を前記録画再生装置に送信することを特徴とする携帯型放送受信装置。
【請求項３】
前記視聴番組検索部は、ＴＶ放送を視聴する地域と前記録画再生装置がＴＶ放送を受信し録画する地域が同一周波数エリアの場合、前記視聴情報に含まれている番組番号と前記番組情報の番組番号を比較することを特徴とする請求項２記載の携帯型放送受信装置。
【請求項４】
前記視聴番組検索部は、ＴＶ放送を視聴する地域と前記録画再生装置がＴＶ放送を受信し録画する地域が異なる周波数エリアの場合、前記視聴情報に含まれているＴＶ局番号を系列変換し、系列変換したＴＶ局番号と番組タイトルと前記番組情報のＴＶ局番号と番組タイトルを比較することを特徴とする請求項２記載の携帯型放送受信装置。
【請求項５】
前記視聴番組検索部は、系列変換した番組タイトルと前記番組情報の番組タイトルを比較した結果、一致する番組タイトルが見つからなかった場合、さらに番組タイトルの一部分を比較することを特徴とする請求項４記載の携帯型放送受信装置。
【請求項６】
前記視聴情報保存トリガ検出部は、ＴＶ放送波の受信状態が悪いことを検出し、前記録画再生装置は、ＴＶ放送波の受信状態が悪くて視聴できなかった番組を読み出し、視聴できなくなった視聴時刻から再生指示することを特徴とする請求項３記載の携帯型放送受信装置。
【請求項７】
前記視聴情報保存トリガ検出部は、ＴＶ放送波の受信状態が悪いことを検出し、前記録画再生装置は、ＴＶ放送波の受信状態が悪くて視聴できなかった番組を読み出し、視聴できなくなった視聴時刻から再生指示することを特徴とする請求項４記載の携帯型放送受信装置。
【請求項８】
前記視聴情報保存トリガ検出部は、視聴終了時や視聴者が再度同じ番組を視聴したいと思った時に、視聴者からの視聴情報保存指示を検出し、
前記録画再生装置は、視聴終了したときの番組や視聴者が再度同じ番組を視聴したいと思った番組を読み出し、視聴終了した時の時刻や視聴者が再度同じ番組を視聴したいと思った時刻から再生指示することを特徴とする請求項３記載の携帯型放送受信装置。
【請求項９】
前記視聴情報保存トリガ検出部は、視聴終了時や視聴者が再度同じ番組を視聴したいと思った時に、視聴者からの視聴情報保存指示を検出し、
前記録画再生装置は、視聴終了したときの番組や視聴者が再度同じ番組を視聴したいと思った番組を読み出し、視聴終了した時の時刻や視聴者が再度同じ番組を視聴したいと思った時刻から再生指示することを特徴とする請求項４記載の携帯型放送受信装置。
【請求項１０】
前記視聴情報保存トリガ検出部は、電話が着信、発信することを検出し、
前記録画再生装置は、電話が着信、発信した時に視聴できなかった番組を読み出し、電話が着信、発信した時刻から再生指示することを特徴とする請求項３記載の携帯型放送受信装置。
【請求項１１】
前記視聴情報保存トリガ検出部は、電話が着信、発信することを検出し、
前記録画再生装置は、電話が着信、発信した時に視聴できなかった番組を読み出し、電話が着信、発信した時刻から再生指示することを特徴とする請求項４記載の携帯型放送受信装置。
【請求項１２】
前記視聴情報保存トリガ検出部は番組の視聴開始を検出し、
前記録画再生装置は、途中から視聴開始した番組を読み出し、その番組の最初の時刻から再生指示することを特徴とする請求項３記載の携帯型放送受信装置。
【請求項１３】
前記視聴情報保存トリガ検出部は番組の視聴開始を検出し、
前記録画再生装置は、途中から視聴開始した番組を読み出し、その番組の最初の時刻から再生指示することを特徴とする請求項４記載の携帯型放送受信装置。
【請求項１４】
屋外でＴＶ放送を視聴できる携帯型放送受信装置と同じＴＶ放送を録画し、録画情報を携帯型放送受信装置に送る録画再生装置であって、
前記携帯型放送受信装置から視聴情報を受信する視聴情報受信部と、
録画した番組の番組情報を管理し、前記視聴情報から特定される番組の再生位置から再生を開始する番組管理部を備えることを特徴とする録画再生装置。
【請求項１５】
録画再生装置から録画した番組の録画情報を受信し、屋外でＴＶ放送を視聴できるＴＶ放送受信方法であって、
視聴情報を保存するタイミングを検出する視聴情報保存トリガステップと、
前記視聴情報保存トリガ検出ステップで視聴情報保存のタイミングが検出された時に、視聴中の番組情報と現在時刻に基づいて視聴情報を作成する視聴情報生成ステップと、
前記視聴情報生成ステップで生成された視聴情報を記録する視聴情報保存ステップと、
前記視聴情報生成ステップで生成した視聴情報の番組が前記録画再生装置で録画済みの番組と一致する視聴番組を検索する視聴番組検索ステップと、
前記視聴番組検索ステップで一致した番組の中から、視聴したい番組を選択する視聴情報選択ステップと、
前記視聴情報選択ステップで選択した視聴情報を前記録画再生装置に送信する視聴情報送信ステップを備え、
前記携帯型放送受信装置で視聴した番組を前記録画再生装置で録画した番組の中から特定し、特定された番組情報を前記録画再生装置に送信することを特徴とする放送受信方法。
【請求項１６】
屋外でＴＶ放送を視聴できる携帯型放送受信装置と同じＴＶ放送を録画し、録画情報を携帯型放送受信装置に送る録画再生方法であって、
前記携帯型放送受信装置から視聴情報を受信する視聴情報受信ステップと、
録画した番組の番組情報を管理し、前記視聴情報から特定される番組の再生位置から再生を開始する番組管理ステップを備えることを特徴とする録画再生方法。
【請求項１７】
録画再生装置から録画した番組の録画情報を受信し、屋外でＴＶ放送を視聴できる携帯型放送受信装置で動作するプログラムであって、
視聴情報を保存するタイミングを検出する視聴情報保存トリガステップと、
前記視聴情報保存トリガ検出ステップで視聴情報保存のタイミングが検出された時に、視聴中の番組情報と現在時刻に基いて視聴情報を作成する視聴情報生成ステップと、
前記視聴情報生成ステップで生成された視聴情報を記録する視聴情報保存ステップと、
前記視聴情報生成ステップで生成した視聴情報の番組が前記録画再生装置で録画済みの番組と一致する視聴番組を検索する視聴番組検索ステップと、
前記視聴番組検索ステップで一致した番組の中から、視聴したい番組を選択する視聴情報選択ステップと、
前記視聴情報選択ステップで選択した視聴情報を前記録画再生装置に送信する視聴情報送信ステップを備え、
前記携帯型放送受信装置で視聴した番組を前記録画再生装置で録画した番組の中から特定し、特定された番組情報を前記録画再生装置に送信することを特徴とする携帯型放送受信装置で動作するプログラム。
【請求項１８】
屋外でＴＶ放送を視聴できる携帯型放送受信装置と同じＴＶ放送を録画し、録画情報を携帯型放送受信装置に送る録画装置で動作するプログラムであって、
前記携帯型放送受信装置から視聴情報を受信する視聴情報受信ステップと、
録画した番組の番組情報を管理し、前記視聴情報から特定される番組の再生位置から再生を開始する番組管理ステップを備えることを特徴とする録画装置で動作するプログラム。
【発明の詳細な説明】
【技術分野】
【０００１】
本発明はテレビ（ＴＶ）放送を視聴する受信装置に関し、特に、デジタルＴＶ放送を受信可能な携帯型受信装置と据え置き型の放送録画再生装置を連携して使用するシステムに関するものである。
【背景技術】
【０００２】
近年、家庭内で放送を録画する放送録画再生装置（ＨＤＤ付ＤＶＤレコーダ）が普及し、記録できる番組の容量も増大して、視聴者の好みに合った放送を自動的に録画する機能を持った放送録画再生装置が販売されている。一方、ワンセグＴＶ放送を受信する機能を持った携帯電話とカーナビゲーションシステムが普及し、自動車または電車等の移動中に、ＴＶ放送を視聴する生活スタイルが広まっている。このようにＴＶ放送を視聴する場所が多岐にわたり、使用する放送受信装置も複数になると、それら複数の放送受信装置を連携させ、視聴者のニーズに合った放送視聴スタイルを簡単に実現できることが求められるようになってきた。
【０００３】
従来のテレビ放送受信システムとしては、移動体放送受信装置とホームサーバで視聴情報を送受信しているものがあった（例えば、特許文献１参照）。図２は、前記特許文献１に記載された従来のテレビ放送受信システムの移動体ＴＶ受信装置１の構成を示すものであり、図３は、ホームサーバ２の構成を示すものである。
【０００４】
図２、図３において、移動体ＴＶ受信装置１で番組受信が開始されると、制御部２１は通信機３１を介してホームサーバ２に番組受信が開始されたことを通知する。ホームサーバ２は、通信機５１を介して移動体ＴＶ受信装置１から番組受信が開始されたことを通知されたら、制御部４１が受信チャンネルを変更して、録画データ記録部４３に移動体ＴＶ受信装置１で受信している番組の録画を開始する。
【０００５】
移動体ＴＶ受信装置１の制御部２１は、チューナ部２４から入力した受信状態を示す信号にも基づいて受信状態を判定する。受信状態が悪いと判定したとき受信障害情報を受信障害情報記録部２３に記録し、通信機３１を介してホームサーバ２に送信する。ホームサーバ２は、通信機５１で受信障害情報を受信する。ユーザの所定の操作により、ホームサーバ２は、受信障害情報に基づいて移動体ＴＶ受信装置１で受信できなかった部分を録画データ記録部４３から読み出し、ＭＰＥＧ−ＴＳ復調部４６に出力して、録画データを再生する。
【特許文献１】特開２００６−３３１２０号公報
【発明の開示】
【発明が解決しようとする課題】
【０００６】
しかしながら、前記従来の構成では、ホームサーバは、移動体ＴＶ受信装置からの通知を受けて番組の録画を行い、後から、移動体ＴＶ受信装置で受信できなかった部分を、再生する。つまり、ホームサーバは、録画前に、移動体ＴＶ受信装置から対象の番組に関する通知を受ける必要があるという課題を有していた。
【０００７】
本発明は、前記従来の課題を解決するもので、携帯型放送受信装置が、前もって録画再生装置に所望の番組に関する通知を行うことなく、録画再生装置が、携帯型受信装置で視聴していた番組の続きを再生し、視聴することができる番組視聴システムを提供することを目的とする。
【課題を解決するための手段】
【０００８】
前記従来の課題を解決するために、本発明の番組視聴システムは、屋外でＴＶ放送を視聴できる携帯型放送受信装置と、前記携帯型放送受信装置で視聴するＴＶ放送と同じ番組を録画できて、録画情報を携帯型放送受信装置に送る録画再生装置で構成される番組視聴システムであって、前記携帯型放送受信装置は、視聴情報を保存するタイミングを検出する視聴情報保存トリガ検出部と、前記視聴情報保存トリガ検出部で視聴情報保存のタイミングが検出された時に、視聴中の番組情報と現在時刻に基づいて視聴情報を作成する視聴情報生成部と、前記視聴情報生成部で生成された視聴情報を記録する視聴情報保存部と、前記視聴情報生成部で生成した視聴情報の番組が前記録画再生装置で録画済みの番組と一致する視聴番組を検索する視聴番組検索部と、前記視聴番組検索部で一致した番組の中から、視聴したい番組を選択する視聴情報選択部と、前記視聴情報選択部で選択した視聴情報を前記録画再生装置に送信する視聴情報通信部を備え、前記録画再生装置は、前記携帯型放送受信装置から視聴情報を受信する録画情報通信部と、録画した番組の番組情報を管理し、前記視聴情報で特定した番組を再生する番組管理部を備え、前記携帯型放送受信装置で視聴した番組を、前記録画再生装置で録画した番組の中から検索する前記視聴番組検索部で、特定された番組情報を前記録画再生装置に送信し、前記録画再生装置の前記録画情報管理部によって、当該番組の再生を行うことを特徴とする。
【０００９】
本構成によって、携帯型放送受信装置が、前もって録画再生装置に所望の番組に関する通知を行うことなく、録画再生装置で、携帯型受信装置で視聴していた番組の続きを再生し、視聴できる番組視聴システムを提供することを目的とする。
【発明の効果】
【００１０】
本発明によれば、携帯型放送受信装置が、前もって録画再生装置に所望の番組に関する通知を行うことなく、所望の番組を録画している録画再生装置で、携帯型放送受信装置で視聴していた番組の続きを再生し、視聴することができる。
【発明を実施するための最良の形態】
【００１１】
以下本発明の実施の形態について、図面を参照しながら説明する。
【００１２】
図１は、本発明における機器構成の概略図である。
【００１３】
図１において、携帯型放送受信装置１０１は、屋外でＴＶ放送受信を行える携帯電話機等であり、視聴者が番組視聴を終了した時に視聴を中断した視聴情報を作成して、携帯型放送受信装置１０１内に記録する。
【００１４】
ユーザは、帰宅後、家庭内の録画装置１０４とテレビ１０５を用いて、屋外で視聴していた番組で、視聴者が番組視聴を終了した続きの部分を視聴することができる。
【００１５】
つまり、携帯型放送受信装置１０１は、録画再生装置１０４から録画番組情報を取得し、録画番組情報と一致する視聴情報を検索して表示し、対象の視聴情報を選択して、録画再生装置１０４に無線通信１０２またはメモリカード１０３を介して通知する。録画再生装置１０４は、通知された視聴情報と一致する番組を選び、視聴情報に記録された位置から番組を再生し、テレビ１０５の画面に表示する。
【００１６】
図４は、本発明の実施の形態における携帯型放送受信装置１０１と録画再生装置１０４の構成を示すブロック図である。
【００１７】
携帯型放送受信装置１０１は、番組受信部２０１、番組復調部２０２、再生部２０３、番組情報管理部２０４、視聴情報保存トリガ検出部２０５、視聴情報生成部２０６、視聴情報保存部２０７、操作部２０８、現在時刻取得部２０９、視聴情報選択部２１０、系列局変換部２１１、視聴番組検索部２１２、および視聴情報通信部２１３を備えている。
【００１８】
番組受信部２０１は、視聴者が選択したＴＶ放送の電波を受信し、受信データを番組復調部２０２に渡す。
【００１９】
番組復調部２０２は、番組受信部２０１から受信データを受け取り、番組のビデオ画像と音声に復調して、再生部２０３に渡す。
【００２０】
再生部２０３は、番組復調部２０２から受け取ったビデオ画像を、液晶などの表示画面に出力し、音声をスピーカーに出力する。
【００２１】
番組情報管理部２０４は、放送局の情報と放送される番組の情報を管理している。
【００２２】
視聴情報保存トリガ検出部２０５は、視聴者が番組視聴を終了した時、また、視聴者が視聴中の番組視聴を再度行いたい時に、視聴情報保存を操作したことを検出する。
【００２３】
視聴情報生成部２０６は、視聴情報保存トリガ検出部２０５の指示により視聴している番組情報と現在時刻から視聴情報を生成する。
【００２４】
視聴情報保存部２０７は、視聴情報生成部２０６で生成された視聴情報を保存する。
【００２５】
操作部２０８は、視聴放送局の選択または視聴情報の保存指示等の視聴者によるキー操作を受け付ける。
【００２６】
現在時刻取得部２０９は、現在時刻を管理して、視聴情報生成部２０６に現在時刻を渡す。
【００２７】
視聴情報選択部２１０は、視聴情報保存部２０７が保持している視聴情報の一覧を表示して、操作部２０８からの入力に基づいて、録画再生装置１０４で再生する対象の視聴情報を選択する。
【００２８】
系列局変換部２１１は、視聴情報のＴＶ局番号と録画番組情報のＴＶ局番号を比較して、系列局になっているかどうかを判断する。
【００２９】
視聴番組検索部２１２は、視聴情報と一致する録画番組情報を検索する。
【００３０】
視聴情報通信部２１３は、録画再生装置１０４から録画番組情報を受信し、録画再生装置１０４に再生する番組情報と時刻を渡す。
【００３１】
録画再生装置１０４は、番組受信部２２１、番組復調部２２２、再生部２２３、番組記録部２２４、録画情報管理部２２５、操作部２２６、および録画情報通信部２２７を備えている。
【００３２】
番組受信部２２１は、視聴者が視聴を選択したＴＶ放送、または視聴者がタイマー録画を指定したＴＶ放送の電波を受信し、受信データを番組復調部２２２に渡す。
【００３３】
番組復調部２２２は、番組受信部２２１から受信データを受け取り、番組のビデオ画像と音声に復調して、再生部２２３と番組記録部２２４に渡す。
【００３４】
再生部２２３は、番組復調部２２２または番組記録部２２４から受け取ったビデオ画像を、液晶などの表示画面に出力し、音声をスピーカーに出力する。
【００３５】
番組記録部２２４は、ビデオ画像と音声を記録し、記録した番組の情報を録画情報管理部２２５に渡す。
【００３６】
録画情報管理部２２５は、番組記録部２２４から渡された番組情報を記録管理する。
【００３７】
操作部２２６は、放送局の選択または録画番組の指示等の視聴者によるキー操作を受け付ける。
【００３８】
録画情報通信部２２７は、携帯型放送受信装置１０１に録画番組情報を送信し、携帯型放送受信装置１０１から再生する番組の録画番組情報と再生時刻を受け取り、録画情報管理部２２５に番組の再生を指示する。
【００３９】
以上の構成により、本発明の番組視聴システムは、次の処理を行う。
【００４０】
外出時に視聴者が番組を視聴している時、番組受信部２０１はＴＶ放送電波を受信し、番組復調部２０２は放送電波を復調して再生部２０３を介して液晶などの画面に表示する。視聴を終了した時、または、視聴している場面を家庭で再度視聴したい時に、視聴情報保存トリガ検出部２０５が視聴情報の保存を検出し、視聴情報保存トリガ検出部２０５は視聴情報生成部２０６に、視聴情報生成を指示する。視聴情報生成部２０６は、番組情報管理部２０４から現在視聴中の番組の情報を取得し、現在時刻管理部２０９から現在時刻を取得して、それらの情報から視聴情報を生成して、視聴情報保存部２０７に保存する。
【００４１】
また、録画再生装置１０４で番組録画を行う場合は、番組受信部２２１がＴＶ放送電波を受信し、番組復調部２２２により放送電波を復調して再生部２２３を介して液晶などの画面に表示すると同時に、番組記録部２２４に録画番組を保存する。録画番組を再生する場合は、録画情報管理部２２５が管理している録画番組の情報を取得し、再生する録画番組を操作部２２６で指定し、番組記録部２２４から録画番組を取り出して、番組復調部２２２を介して再生部２２３に表示再生する。
【００４２】
さらに、視聴者が帰宅後、外出中に視聴していた番組の続きが視聴したい場合は、携帯型放送受信装置１０１を操作して、録画装置１０４の録画情報通信部２２７に録画番組情報の送信依頼を出す。録画情報通信部２２７は、録画情報管理部２２５で管理している録画番組情報を携帯型放送受信装置１０１の視聴情報通信部２１３に送信し、録画番組情報を取得した視聴情報通信部２１３は、録画番組情報を視聴情報選択部２１０に渡す。録画番組情報を取得した視聴情報選択部２１０は、録画番組情報と視聴情報保存部２０７で保存している視聴情報を視聴番組検索部２１２に渡す。視聴番組検索部２１２は、系列局変換部２１１で視聴情報と録画番組情報の放送系列局を変換し、視聴情報に一致する録画番組情報を検索し、視聴情報の有効性を確認する。視聴番組検索部２１２は、録画番組情報が存在した視聴情報を視聴情報選択部２１０に渡し、視聴情報選択部２１０は、録画番組情報が存在した視聴情報を一覧表示する。視聴者が一つの視聴情報を選択すると、視聴情報通信部２１３から録画装置１０４の録画情報通信部２２７に視聴したい番組の録画番組情報と再生開始位置を送信する。録画装置１０４の録画情報通信部２２７では、受け取った録画番組情報と時刻を録画情報管理部２２５に渡し、録画情報管理部２２５は、番組記録部２２４から録画番組を取り出して、番組復調部２２２を介して再生部２２３に表示再生する。
【００４３】
以上により、携帯型放送受信装置が、前もって録画再生装置に所望の番組に関する通知を行うことなく、所望の番組を録画している録画再生装置で、携帯型放送受信装置で視聴していた番組の続きを再生し、視聴することが可能となる。
【００４４】
図５の（ａ）は、携帯型放送受信装置１０１と録画再生装置１０４において、ＥＰＧ（電子番組ガイド）で取得する番組情報の例を示した図である。図５の（ｂ）は、携帯型放送受信装置１０１の視聴情報生成部２０６で生成する視聴情報の例を示した図である。
【００４５】
図５の（ａ）の番組情報は、ＴＶ局番号３０１、番組番号３０２、番組タイトル３０３、番組の開始時刻３０４、放送時間３０５、ジャンルを示す記号３０６等の情報から構成されている。ＴＶ局番号３０１は、放送ＴＶ局に固有の番号である。また、番組番号３０２と番組タイトル３０３は、ＴＶ局ごとに指定される情報である。
【００４６】
図５の（ｂ）の視聴情報は、図５の（ａ）の番組情報に加えて、視聴開始時刻３１１、サムネイル３１２、録画番組情報（フラグ）３１３から構成されている。視聴開始時刻３１１は、視聴終了の時刻であり、かつ録画再生装置１０４での視聴再開に使われる時刻情報である。サムネイル３１２は、視聴再開する時点直前のサムネイル画像のファイル番号を示す。また、録画番組情報（フラグ）３１３は、視聴情報と一致する録画番組情報を検索した結果（「あり」、「なし」など）を示す。
【００４７】
図６の（ａ）は、録画再生装置１０４の録画情報管理部２２５で管理する録画番組情報の例を示した図である。図６の（ｂ）は、携帯型放送受信装置１０１の系列局変換部２１１で使用している系列局情報の例を示した図である。
【００４８】
図６の（ａ）の録画番組情報は、図５の（ａ）の番組情報に加えて、実際に記録されている番組の録画開始時刻３２１と録画終了時刻３２２から構成されている。
【００４９】
図６の（ｂ）の系列局情報は、キーＴＶ局番号３３１とそのキーＴＶ局に属する任意の数の系列局番号（３３２から３３ｎ）から構成されている。キーＴＶ局番号に番号が存在するＴＶ局はキーＴＶ局と判定され、系列局番号に存在するＴＶ局は複数のキーＴＶ局の系列に属することが可能である。また、キーＴＶ局番号に番号が存在するＴＶ局であっても、ほかのキーＴＶ局の系列に属することも可能である。
【００５０】
図７、図８、図９は、本発明の実施の形態における携帯型放送受信装置１０１が、視聴情報を記録する動作を示すフローチャートである。また、図１０の（ａ）は、視聴中番組の番組情報、図１０の（ｂ）は、保存した視聴情報を示す図である。
【００５１】
図７の開始として、携帯型放送受信装置１０１でＴＶ放送を受信状態にする。
【００５２】
ステップＳ１０１において、キー操作が発生したかどうかチェックし、キー操作がない場合（ステップＳ１０１がＮ）、ステップＳ１０１へ戻る。キー操作が発生した場合（ステップＳ１０１がＹ）、ステップＳ１０２で視聴情報記録が視聴者によって指示されたかどうかを判断する。
【００５３】
記録が指示された場合（ステップＳ１０２がＹ）、ステップＳ１０３において視聴情報を記録して、ステップＳ１０１に戻る。視聴情報記録が指示されなかった場合（ステップＳ１０２がＮ）、ステップＳ１０４において、視聴終了が指示されたかどうか判断する。
【００５４】
視聴終了が指示された場合（ステップＳ１０４がＹ）、ステップＳ１０５において視聴者に視聴情報を記録するかどうかを問い合わせ、視聴者が記録を選択した場合（ステップＳ１０５がＹ）、ステップＳ１０６において、視聴情報を記録して、ＴＶ放送の受信状態を解除して（図示せず）、終了する。視聴者が視聴情報記録を選択しなかった場合（ステップＳ１０５がＮ）、視聴情報を記録せずにＴＶ放送受信を終了する。
【００５５】
ステップＳ１０４において、視聴終了が指示されなかった場合（ステップＳ１０４がＮ）、ステップＳ１０７において、視聴記録指示と視聴終了以外のキー操作の処理を行って、ステップＳ１０１に戻る。
【００５６】
図８は、図７のステップＳ１０３とステップＳ１０６の視聴情報記録の詳細を示している。ステップＳ２０１において視聴中の番組情報を番組情報管理部２０４から取得する。この時、取得された番組情報は、図１０の（ａ）のようにＴＶ局番号４０１、番組番号４０２、番組タイトル４０３、開始時刻４０４、放送時間４０５、ジャンル４０６の情報から構成されている。
【００５７】
ステップＳ２０２において現在時刻情報を現在時刻管理部２０９から取得する（ここでは、１７：３５とした）。
【００５８】
ステップＳ２０３において番組情報と時刻情報から図１０の（ｂ）のような視聴情報を作成し、ステップＳ２０４において作成した視聴情報を視聴情報保存部２０７に保存する。
【００５９】
保存した視聴情報は、図１０の（ｂ）のように、ＴＶ局番号４１１からジャンル４１６に加えて、視聴開始時刻４１７、サムネイル４１８、録画番組情報４１９（保存時にはなしとしておく）から構成されている。なお、サムネイル４１８は、視聴画面の縮小静止画のファイル名を示す。録画番組情報４１９は、録画番組情報の状態を示す。なお、録画番組情報４１９の生成時初期値は、「なし」とする。
【００６０】
図９は、図７のステップＳ１０７の通常キー操作の詳細を示している。ステップＳ３０１において操作されたキーの種別を判断する。
【００６１】
ステップＳ３０１の結果がチャンネル操作の場合、ステップＳ３０２においてチャンネル切り替えを行う。音量操作の場合、ステップＳ３０３において音量切り替えを行う。録画操作の場合、ステップＳ３０４において録画切り替えを行う。
【００６２】
以上により、外出時に視聴者が携帯型放送受信装置１０１でＴＶ放送視聴中に、視聴を終了した時、または今視聴している場面を家庭で再度視聴を行う時、視聴中の番組の続きを視聴するための情報である視聴情報を保存することが可能となる。
【００６３】
図１１、図１２は、携帯型放送受信装置１０１で視聴情報を選択して録画再生装置１０４で再生する処理の流れを示すフローチャートである。携帯型放送受信装置１０１の動作を図１１に示し、録画再生装置１０４の動作を図１２に示している。また、図１５の（ａ）は、録画再生装置１０４で記録されている録画番組情報を示す図である。図１５の（ｂ）は、チェック後の視聴情報を示す図である。また、図１６は、携帯型放送受信装置１０１での視聴情報一覧の表示例を示す図である。また、図１７は、系列局情報の例を示す図である。
【００６４】
まず、携帯型放送受信装置１０１は、図１１のステップＳ４０１において、視聴情報保存部２０７から記録しているすべての視聴情報を取得し（ここでは、図１０の（ｂ）の視聴情報）、ステップＳ４０２において録画再生装置１０４に録画情報送信要求（図示せず）を出す。
【００６５】
録画再生装置１０４は、リモコンなどにより図１２の処理を開始し、ステップＳ５０１において処理終了をチェックし、ステップＳ５０２において、携帯型放送受信装置１０１からの要求受信を待つ。
【００６６】
送信要求の受信があったら（ステップＳ５０２がＹ）、ステップＳ５０３において受信した要求を判定する。ステップＳ５０３の結果が録画情報送信要求と判定された場合、ステップＳ５０４において、図１５の（ａ）のような録画番組情報を携帯型放送受信装置１０１に送信し、ステップＳ５０１に戻る。図１５の（ａ）の録画番組情報は、図１０の（ａ）の番組情報と同じ内容を示すＴＶ局番号からジャンルまでの情報と、録画開始時刻と録画終了時刻から構成される。
【００６７】
再生要求と判定された場合（ステップＳ５０３が再生要求）、ステップＳ５０５において番組再生を行い、ステップＳ５０１に戻る。
【００６８】
携帯型放送受信装置１０１は、図１１のステップＳ４０３において、録画再生装置１０４からの録画情報受信を待つ。携帯型放送受信装置１０１は、録画情報を受信すると（ステップＳ４０３がＹ）、録画情報受信後ステップＳ４０４において一つの視聴情報（図１０の（ｂ））と一致する録画番組を検索する。ステップＳ４０５において視聴情報と一致する録画番組がある場合（ステップＳ４０５がＹ）、ステップＳ４０６において、比較した視聴情報に録画番組情報ありのマークをつけ（図１５の（ｂ））、ステップＳ４０７に行く。ステップＳ４０７においてすべての視聴情報を比較したかどうか判定し、比較していない場合はステップＳ４０４に戻り、次の視聴情報の判定を行う。すべての視聴情報を比較した場合はステップＳ４０８において、図１６のような録画番組情報ありとマークされた視聴情報の一覧を表示する。
【００６９】
図１６の一覧表示では、選択される視聴情報を示すカーソル４５１と視聴情報ごとのサムネイル画像を表示するサムネイル４５２が表示されている。リモコンの上下キー（図示せず）を操作してカーソル４５１を上下に移動させ、選択する視聴情報を変更する。この例では、表示されている視聴情報は一件であるので、カーソル４５１は上下に移動しない。
【００７０】
携帯型放送受信装置１０１は、ステップＳ４０９において視聴者からのキー入力を受け付け、ステップＳ４１０において、キー入力が操作終了と判定された場合（ステップＳ４１０がＹ）、処理を終了する。キー入力が操作終了でない場合（ステップＳ４１０がＮ）、ステップＳ４１１においてキー入力で視聴情報が選択されたかどうか判定する。視聴情報が選択された場合（ステップＳ４１１がＹ）、ステップＳ４１２において視聴情報選択部２１０が選択した視聴情報に一致した録画番組情報を、視聴情報通信部２１３が録画再生装置１０４に再生要求を送信し、処理を終了する。なお、視聴情報通信部２１３は、無線を介して、録画再生装置１０４の録画情報通信部２２７に送信するものとする。
【００７１】
録画再生装置１０４は、録画情報通信部で取得した録画番組情報に従って、図１１のステップＳ５０５において番組を再生する。
【００７２】
図１３は、携帯型放送受信装置１０１で保存していた視聴情報から受信した録画番組情報を検索する時の動作（ステップＳ４０４）を示すフローチャートである。
【００７３】
まず、ステップＳ６０１において比較する録画番組情報の位置を記憶する録画情報ポインタを０にして、最初の録画番組情報から比較するようにする。
【００７４】
次にステップＳ６０２において、視聴情報のＴＶ局番号と録画番組情報のＴＶ局情報が一致しているかどうか判定する。一致している場合（ステップＳ６０２がＹ）、ステップＳ６０４において視聴情報の番組番号と録画番組情報の番組番号が一致しているか判定する。一致している場合（ステップＳ６０４がＹ）、ステップＳ６０５において判定結果に視聴情報と一致する録画番組ありを設定して、終了する。
【００７５】
ステップＳ６０２において、ＴＶ局番号が一致していない場合（ステップＳ６０２がＮ）、ステップＳ６０３において視聴情報のＴＶ局番号と録画番組情報のＴＶ局情報が系列局として一致しているか比較する。ステップＳ６０６においてＴＶ局番号が系列局として一致しているか判定する。系列局として一致している場合（ステップＳ６０６がＹ）、ステップＳ６０７において視聴情報の番組タイトルと録画番組情報の番組タイトルが完全一致しているか判定する。完全一致している場合（ステップＳ６０７がＹ）、ステップＳ６０５において判定結果に一致する録画番組ありを設定して、終了する。
【００７６】
ステップＳ６０７において番組タイトルが完全一致していない場合（ステップＳ６０７がＮ）、ステップＳ６０８において番組タイトルが部分一致しているかどうか判定する。部分一致している場合（ステップＳ６０８がＹ）、ステップＳ６０９において録画情報候補に現在比較している録画番組情報を記録する。さらに、ステップＳ６１０において次の録画番組情報を比較できるように、録画情報ポインタを更新し、ステップＳ６１１においてすべての録画番組情報と比較したかどうか判定する。すべての録画番組情報を比較していない場合（ステップＳ６１１がＮ）、ステップＳ６０２に戻り、系列局比較から判定を実行する。
【００７７】
ステップＳ６０４において番組番号が一致しないと判定された場合、ステップＳ６０６において系列局と一致していないと判定された場合、及びステップＳ６０８において番組タイトルが部分一致していないと判定された場合は、ステップＳ６１０において録画情報ポインタを更新する。
【００７８】
一方、ステップＳ６１１においてすべてのすべての録画番組情報を比較したと判定された場合は、ステップＳ６１２において視聴情報と一致する録画情報候補が記録されているかどうか判定する。記録されている場合（ステップＳ６１２がＹ）、ステップＳ６１３において判定結果に一致録画番組候補ありを設定して、終了する。録画番組候補が記録されていない場合は、判定結果に一致録画番組なしを設定して、終了する。
【００７９】
図１４は、図１３の検索処理のステップＳ６０３で使われる系列局の判定方法を示したフローチャートである。
【００８０】
まず、ステップＳ７０１において、比較に使用する系列局情報を示す系列局情報ポインタを初期化し、ステップＳ７０２において、視聴情報のＴＶ局番号が系列局情報のキーＴＶ局番号と一致するかどうか判定する。
【００８１】
一致する場合（ステップＳ７０２がＹ）、ステップＳ７０３において録画番組情報のＴＶ局番号が系列局情報の系列局番号のいずれかと一致するかどうか判定する。一致する場合（ステップＳ７０３がＹ）、ステップＳ７０４において、系列局として視聴情報と録画番組情報が一致したことを設定して処理を終了する。
【００８２】
ステップＳ７０２とステップＳ７０３において一致しない場合、ステップＳ７０５において録画番組情報のＴＶ局番号が系列局情報のキーＴＶ局番号と一致するかどうか判定する。一致する場合（ステップＳ７０５がＹ）、ステップＳ７０６において視聴情報のＴＶ局番号が系列局情報の系列局番号のいずれかと一致するかどうか判定する。一致する場合（ステップＳ７０６がＹ）、ステップＳ７０４において、系列局として視聴情報と録画番組情報が一致したことを設定して処理を終了する。
【００８３】
ステップＳ７０２とステップＳ７０３において一致しない場合は、ステップＳ７０７において、系列局情報ポインタを更新する。次に、ステップＳ７０８においてすべての系列局情報をチェックしたかどうか判定する。すべてチェックした場合（ステップＳ７０８がＹ）、ステップＳ７０９において系列局として視聴情報と録画番組情報が一致しないことを設定して処理を終了する。
【００８４】
以上により、携帯型放送受信装置が、前もって録画再生装置に所望の番組に関する通知を行うことなく、所望の番組を録画している録画再生装置で、携帯型放送受信装置で視聴していた番組の続きを再生し、視聴することが可能となる。
【００８５】
次に、この図１３、図１４のフローチャートを、図１０の（ｂ）の視聴情報と図１５（ａ）の録画番組情報と図１７の系列局情報を例に説明する。
【００８６】
ステップＳ６０１において、最初の録画番組情報を録画情報ポインタに設定する。ステップＳ６０２において視聴情報のＴＶ局番号４１１が録画番組情報のＴＶ局番号４２１と一致するかどうか比較する。視聴情報のＴＶ局番号４１１は３で録画番組情報のＴＶ局番号４２１は４３で一致しないので、ステップＳ６０３において系列局比較を行う。
【００８７】
図１４のステップＳ７０１において、系列局情報の先頭を使用するように系列局情報ポイントを初期化し、ステップＳ７０２において視聴情報のＴＶ局番号４１１が系列局情報のキーＴＶ局番号４６１と一致するかどうか比較する。どちらも３であり一致するので、ステップＳ７０３において録画番組情報のＴＶ局番号４２１が系列局番号と一致するかどうか比較する。録画番組情報のＴＶ局番号４２１は４３で、系列局番号４６４と一致するので、ステップＳ７０４において系列局であると判定される。
【００８８】
図１３のステップＳ６０３において、系列局であるとの判定結果が得られたので、ステップＳ６０６において系列局一致と判定される。ステップＳ６０７とステップＳ６０８において視聴情報の番組タイトル４１３と録画番組情報の番組タイトル４２３を比較する。全一致、部分一致ともにみたしていないので、ステップＳ６１０において、次の録画番組情報に録画情報ポインタを更新して、ステップＳ６１１よりステップＳ６０２に戻る。ステップＳ６０２において視聴情報のＴＶ局番号４１１と録画番組情報のＴＶ局番号４３１を比較して一致するので、ステップＳ６０４において、視聴情報の番組番号４１２と録画番組情報の番組番号４３２を比較する。どちらも１０２で一致するので、ステップＳ６０５において一致する録画番組情報が存在すると判定され、図１０の（ｂ）の録画番組情報４１９を「なし」から「あり」に変更し、検索処理を終了する。以上の検索処理により、図１５の（ｂ）のような視聴情報が得られる。
【００８９】
以上のように、視聴者が携帯型放送受信装置１０１で視聴情報を選択する時に、録画再生装置１０４で録画されていない番組の視聴情報を表示しないので、視聴者が視聴情報の選択に迷うことがない。また、携帯型放送受信装置１０１から録画再生装置１０４に視聴情報を送信したら直ちに所望の録画番組が再生できるので、視聴者の利便性が大幅に向上する。
【００９０】
図１８は、携帯型放送受信装置１０１と録画再生装置１０４とで視聴地域のＴＶ局が異なる場合の録画情報と視聴情報を示した図である。図１８の（ｂ）の視聴情報と一致する録画番組情報を、図１８の（ａ）の録画番組情報から検索する場合を図１３のフローチャートに従って説明する。また、ここでは、図１７の系列局情報を使用することとする。
【００９１】
図１３のステップＳ６０１において最初の録画番組情報を録画情報ポインタに設定する。ステップＳ６０２において視聴情報のＴＶ局番号４８１が録画番組情報のＴＶ局番号４７１と一致するかどうか比較する。視聴情報のＴＶ局番号４８１は４３で録画番組情報のＴＶ局番号４７１は３で一致しないので、ステップＳ６０３において系列局比較を行う。
【００９２】
図１４のステップＳ７０１において、系列局情報の先頭を使用するように系列局情報ポイントを初期化し、ステップＳ７０２において視聴情報のＴＶ局番号４８１が系列局情報のキーＴＶ局番号４６１と一致するかどうか比較する。一致しないので、ステップＳ７０５において録画番組情報のＴＶ局番号４７１が系列局情報のキーＴＶ局番号４６１と一致するかどうか比較する。どちらも３で一致するので録画番組情報はキー局であり、ステップＳ７０６において視聴情報のＴＶ局番号４８１が系列局情報の系列局番号と一致するかどうか比較する。視聴情報のＴＶ局番号４８１は４３で系列局番号４６４と一致するので、ステップＳ７０４において系列局であると判定される。
【００９３】
図１３のステップＳ６０３において、系列局であるとの判定結果が得られたので、ステップＳ６０６において系列局一致と判定される。ステップＳ６０７において視聴情報の番組タイトル４８３と録画番組情報の番組タイトル４７３を比較する。全一致するので、ステップＳ６０５において一致する録画番組情報が存在すると判定され、図１８の（ｂ）の録画番組情報４８４を「なし」から「あり」に変更し、検索処理を終了する。
【００９４】
以上のように、視聴者が携帯型放送受信装置１０１で視聴していた番組と、録画再生装置１０４で録画されていた番組の放送局が異なっていても、同じ番組であると判定される。これにより、携帯型放送受信装置１０１で保存した視聴情報の続きを視聴する場合に、録画再生装置１０４の設置場所または機種を限定することがなく、録画番組が再生できるので、視聴者の利便性が大幅に向上する。
【００９５】
図１９は、携帯型放送受信装置１０１と録画再生装置１０４とで視聴地域のＴＶ局が異なり、さらに番組タイトルがＴＶ局により異なる場合の録画情報と視聴情報を示した図である。図１９の（ｂ）の視聴情報と一致する録画番組情報を、図１９の（ａ）の録画番組情報から検索する場合を図１３のフローチャートに従って説明する。また、ここでは、図１７の系列局情報を使用することとする。
【００９６】
図１３のステップＳ６０１において最初の録画番組情報を録画情報ポインタに設定する。ステップＳ６０２において視聴情報のＴＶ局番号４８１が録画番組情報のＴＶ局番号４７１と一致するかどうか比較する。視聴情報のＴＶ局番号５１１は３で録画番組情報のＴＶ局番号４９１は４３で一致しないので、ステップＳ６０３において系列局比較を行う。
【００９７】
図１４のステップＳ７０１において、系列局情報の先頭を使用するように系列局情報ポイントを初期化し、ステップＳ７０２において視聴情報のＴＶ局番号５１１が系列局情報のキーＴＶ局番号４６１と一致するかどうか比較する。どちらも３で一致するので、ステップＳ７０３において録画番組情報のＴＶ局番号４９１が系列局情報の系列局番号と一致するかどうか比較する。録画番組情報のＴＶ局番号４９１は４３で系列局番号４６４と一致するので、ステップＳ７０４において系列局であると判定される。
【００９８】
図１３のステップＳ６０３において、系列局であるとの判定結果が得られたので、ステップＳ６０６において系列局一致と判定される。ステップＳ６０７、ステップＳ６０８において視聴情報の番組タイトル５１３と録画番組情報の番組タイトル４９３を比較し、部分一致であるので、ステップＳ６０９において録画番組情報を録画情報候補に記録する。ステップＳ６１０において、次の録画番組情報に録画情報ポインタを更新して、ステップＳ６１１よりステップＳ６０２に戻る。
【００９９】
次に、ステップＳ６０２において視聴情報のＴＶ局番号５１１が録画番組情報のＴＶ局番号５０１と一致するかどうか比較する。視聴情報のＴＶ局番号５１１は３で録画番組情報のＴＶ局番号５０１は２６で一致しないので、ステップＳ６０３において系列局比較を行う。
【０１００】
図１４のステップＳ７０１において、系列局情報の先頭を使用するように系列局情報ポイントを初期化し、ステップＳ７０２において視聴情報のＴＶ局番号５１１が系列局情報のキーＴＶ局番号４６１と一致するかどうか比較する。どちらも３であり一致するので、ステップＳ７０３において録画番組情報のＴＶ局番号５０１が系列局番号と一致するかどうか比較する。録画番組情報のＴＶ局番号５０１は２６で、系列局番号４６３と一致するので、ステップＳ７０４において系列局であると判定される。
【０１０１】
図１３のステップＳ６０３において、系列局であるとの判定結果が得られたので、ステップＳ６０６において系列局一致と判定される。ステップＳ６０７とステップＳ６０８において視聴情報の番組タイトル５１３と録画番組情報の番組タイトル５０３を比較し、部分一致であるので、ステップＳ６０９において録画番組情報を録画情報候補に記録する。ステップＳ６１０において次の録画番組情報に録画情報ポインタを更新して、ステップＳ６１１においてすべての録画番組情報とのチェックが完了したと判定される。さらに、ステップＳ６１２において録画情報候補が２件記録されているので、ステップＳ６１３において一致録画番組候補ありと判定され、図１９の（ｂ）の録画番組情報５１４を「なし」から「あり」に変更し、検索処理を終了する。
【０１０２】
この検索結果では、視聴情報に対する録画番組情報が複数存在するので、図２０のように表示を行い、視聴者に一致する録画番組情報を選択してもらうようにする。図２０の録画番組情報の選択画面では、視聴情報５２１を示して、その視聴情報と一致した録画番組情報５２２、録画番組情報５２３を表示する。カーソル５２４で視聴情報と一致している録画番組情報を視聴者に選択してもらうようにする。
【０１０３】
また、本実施の形態において、複数の一致した録画番組情報を視聴者に選択してもらうようにしたが、視聴者に確認せずに一つの録画番組情報を使ってもよい。
【０１０４】
また、本実施の形態において、比較対象にＴＶ局番号、番組番号、番組タイトルを使ったが、開始時刻、放送時間等その他の録画番組情報を判定に使ってもよい。
【０１０５】
また、ここでは、視聴情報を記録するトリガに、視聴終了時に視聴者の視聴情報保存の意向が確認された場合を使っている。他のトリガとして、携帯型放送受信装置１０１が携帯電話であり電話またはメールを着信して視聴状態が遮断される場合がある。また、電波状態が悪いなど、番組視聴を開始した番組の最初から視聴し直したいと視聴者が思う場合を、視聴情報を記録するトリガに使ってもよい。
【産業上の利用可能性】
【０１０６】
本発明にかかる番組視聴システムは、放送受信機能を有した携帯電話などの携帯型放送受信装置と、放送受信機能と録画機能を有したＴＶ機器またはセットトップボックスなど受信録画再生装置として有用である。また、放送受信機能と録画機能を有していれば、パーソナルコンピュータなど情報処理装置などの用途にも応用できる。
【図面の簡単な説明】
【０１０７】
【図１】本発明における機器構成の概略図
【図２】従来のテレビ放送受信システムの移動体ＴＶ受信装置１の構成図
【図３】従来のテレビ放送受信システムのホームサーバ２の構成図
【図４】本発明の実施の形態における携帯型放送受信装置１０１と録画再生装置１０４の構成を示すブロック図
【図５】本発明の実施の形態における番組情報と視聴情報の一例を示した図
【図６】本発明の実施の形態における録画番組情報と系列局情報の一例を示した図
【図７】本発明の実施の形態における携帯型放送受信装置１０１での視聴情報記録時の動作を示すフローチャート
【図８】本発明の実施の形態における携帯型放送受信装置１０１での視聴情報記録時の動作を示すフローチャート
【図９】本発明の実施の形態における携帯型放送受信装置１０１での視聴情報記録時の動作を示すフローチャート
【図１０】本発明の実施の形態における視聴中番組の番組情報と視聴情報の一例を示す図
【図１１】本発明の実施の形態における携帯型放送受信装置１０１での視聴情報選択時の動作を示すフローチャート
【図１２】本発明の実施の形態における録画情報を受信して録画再生装置１０４で再生する場合の動作を示すフローチャート
【図１３】本発明の実施の形態における携帯型放送受信装置１０１において視聴情報と一致する録画番組情報を検索する時の動作を示すフローチャート
【図１４】本発明の実施の形態における系列局を判定する動作を示したフローチャート
【図１５】本発明の実施の形態における録画番組情報と視聴情報の一例を示す図
【図１６】本発明の実施の形態における携帯型放送受信装置１０１での視聴情報一覧の表示画面の一例を示した図
【図１７】本発明の実施の形態における系列局情報の一例を示す図
【図１８】本発明の実施の形態における携帯型放送受信装置１０１と録画再生装置１０４とで視聴地域のＴＶ局が異なる場合の録画情報と視聴情報の一例を示す図
【図１９】本発明の実施の形態における携帯型放送受信装置１０１と録画再生装置１０４とで視聴地域のＴＶ局が異なり、番組タイトルがＴＶ局により異なる場合の録画情報と視聴情報の一例を示す図
【図２０】本発明の実施の形態における複数の録画番組候補の表示画面の一例を示し図
【符号の説明】
【０１０８】
１    移動体ＴＶ受信装置
２    ホームサーバ
２１，４１    制御部
２２，４２    操作部
２３，４３    受信障害情報記録部
２４，４４    チューナ部
２５，４５    ＯＦＤＭ復調部
２６，４６    ＭＰＥＧ  ＴＳ復調部
２７，２８，４７，４８    Ｄ／Ａ変換部
２９，４９    駆動回路
３０，５０    アンプ
３１，５１    通信機
１０１    携帯型放送受信装置
１０２    無線通信
１０３    メモリカード
１０４    録画再生装置
２０１，２２１    番組受信部
２０２，２２２    番組復調部
２０３，２２３    再生部
２０４    番組情報管理部
２０５    視聴情報保存トリガ検出部
２０６    視聴情報生成部
２０７    視聴情報保存部
２０８，２２６    操作部
２０９    現在時刻取得部
２１０    視聴情報選択部
２１１    系列局変換部
２１２    視聴番組検索部
２１３    視聴情報通信部
２２４    番組記録部
２２５    録画情報管理部
２２７    録画情報通信部
【図１】
2010004200.tif 000003
【図２】
2010004200.tif 000004
【図３】
2010004200.tif 000005
【図４】
2010004200.tif 000006
【図５】
2010004200.tif 000007
【図６】
2010004200.tif 000008
【図７】
2010004200.tif 000009
【図８】
2010004200.tif 000010
【図９】
2010004200.tif 000011
【図１０】
2010004200.tif 000012
【図１１】
2010004200.tif 000013
【図１２】
2010004200.tif 000014
【図１３】
2010004200.tif 000015
【図１４】
2010004200.tif 000016
【図１５】
2010004200.tif 000017
【図１６】
2010004200.tif 000018
【図１７】
2010004200.tif 000019
【図１８】
2010004200.tif 000020
【図１９】
2010004200.tif 000021
【図２０】
2010004200.tif 000022